(57)【要約】【課題】束線による光源から出射された光線の遮りを防ぐとともに、偏向器と制御基板とを接続する束線の長さを短くすること。【解決手段】光ビームを出射する光源４５と、光源４５より出射された光ビームを偏向する回転多面鏡５１と、回転多面鏡５１が実装され、回転多面鏡５１を制御する偏向器基板５４と、光源４５と回転多面鏡５１との間の光ビームの光路に設置され、光源４５から出射された光ビームが入射され、回転多面鏡５１に出射する光学部材が取り付けられた光学取付部材４４と、光源４５を有し、光源４５及び回転多面鏡５１を制御する外部基板４２と、外部基板４２が側壁に取り付けられ、偏向器基板５４及び光学取付部材４４を内部に収容する筐体１０１と、を備え、偏向器基板５４及び外部基板４２は、束線４３を介して接続され、束線４３は、光学取付部材４４と光学取付部材４４が設置された筐体１０１の底面との間を通されている。【選択図】図４
2020190630.tif 000002
【特許請求の範囲】
【請求項１】
光ビームを出射する光源と、
前記光源より出射された光ビームを偏向する回転多面鏡と、
前記回転多面鏡が実装され、前記回転多面鏡を制御する偏向基板と、
前記光源と前記回転多面鏡との間の光ビームの光路に設置され、前記光源から出射された光ビームが入射され、前記回転多面鏡に出射する光学部材が取り付けられた取付部材と、
前記光源を有し、前記光源及び前記回転多面鏡を制御する制御基板と、
前記制御基板が側壁に取り付けられ、前記偏向基板及び前記取付部材を内部に収容する光学箱と、
を備え、
前記偏向基板及び前記制御基板は、束線を介して接続され、
前記束線は、前記取付部材と前記取付部材が設置された前記光学箱の底面との間を通されていることを特徴とする光走査装置。
【請求項２】
前記取付部材が設置された前記光学箱の底面には、溝部が設けられ、
前記束線は、前記溝部を這わされていることを特徴とする請求項１に記載の光走査装置。
【請求項３】
光ビームを出射する光源と、
前記光源より出射された光ビームを偏向する回転多面鏡と、
前記回転多面鏡が実装され、前記回転多面鏡を制御する偏向基板と、
前記光源と前記回転多面鏡との間の光ビームの光路に設置され、前記光源から出射された光ビームが入射され、前記回転多面鏡に出射する光学部材と、
前記光源を有し、前記光源及び前記回転多面鏡を制御する制御基板と、
前記制御基板が側壁に取り付けられ、前記偏向基板及び前記光学部材を内部に収容する光学箱と、
を備え、
前記偏向基板及び前記制御基板は、束線を介して接続され、
前記束線は、前記光学部材と前記光学部材が設置された前記光学箱の底面との間を通されていることを特徴とする光走査装置。
【請求項４】
前記光学部材が設置された前記光学箱の底面には、溝部が設けられ、
前記束線は、前記溝部を這わされていることを特徴とする請求項３に記載の光走査装置。
【請求項５】
前記偏向基板は、前記束線を接続するためのコネクタを、前記偏向基板の側面、又は前記回転多面鏡が実装されている面とは前記偏向基板を介して反対側の面に有していることを特徴とする請求項２又は請求項４に記載の光走査装置。
【請求項６】
前記コネクタに接続された前記束線は、前記偏向基板と前記光学箱の底面との間を通り、前記溝部へと延びていることを特徴とする請求項５に記載の光走査装置。
【請求項７】
前記偏向基板は、前記束線を接続するためのコネクタを、前記回転多面鏡を挟んで前記光源とは反対側の前記回転多面鏡が実装されている面に有していることを特徴とする請求項２又は請求項４に記載の光走査装置。
【請求項８】
前記コネクタに接続された前記束線は、前記光学箱の底面方向に向かって延びた後、前記偏向基板と前記光学箱の底面との間を通り、前記溝部へと延びていることを特徴とする請求項７に記載の光走査装置。
【請求項９】
シートに画像形成を行う画像形成手段と、
請求項１から請求項８のいずれか１項に記載の光走査装置と、
を備えることを特徴とする画像形成装置。
【発明の詳細な説明】
【技術分野】
【０００１】
本発明は、光走査装置、及び光走査装置を備える画像形成装置に関する。
【背景技術】
【０００２】
画像形成装置は、画像形成を行うために感光体の表面を露光する露光装置である光走査装置を備えている。光走査装置は、筐体内部の光源から出射された光ビームを画像形成装置の感光体の表面を露光するように偏向する偏向器、及び偏向器を制御する偏向器基板を有している。偏向器基板を介して偏向器を制御するために、偏向器基板に接続され、制御信号等の送受信を行うための束線を、光走査装置の筐体の外部に設けられ、偏向器を制御する制御基板に接続する必要がある。例えば、特許文献１に記載された露光装置では、筐体の中央部に偏向器が設置され、光源から出射され、偏向器により偏向された光ビームを画像形成装置の感光体へと導くための走査光学系が、偏向器を挟んで対向して配置されている。このような露光装置は、束線により光源から出射された光線が遮られること（光線ケラレともいう）を防ぐために、次のような構成を有している。すなわち、露光装置は、偏向器の偏向器基板に接続された束線を、筐体外部の制御基板が設置された方向とは反対の方向に延ばして、一旦筐体の外部に突出させた後、束線を筐体の外周部に這わせて制御基板に接続させる構成を有している。これにより、制御基板側に設けられた光源から出射された光線の光路を阻害することなく、偏向器基板と制御基板とに接続される束線の経路を実現している。
【先行技術文献】
【特許文献】
【０００３】
【特許文献１】特開２０１４−１６３９７７号公報
【発明の概要】
【発明が解決しようとする課題】
【０００４】
上述した偏向器基板と制御基板とに束線を接続する方法を用いることにより、束線による光源から出射された光ビームの光線ケラレ（遮光）を防ぐことはできる。しかしながら、上述した方法では、束線を一旦、制御基板とは反対の方向に延ばして、露光装置の筐体外部に突出させた後に、束線を筐体の外周部に沿って這わせて制御基板に接続している。そのために、束線を露光装置の筐体の外周部に沿って、約半周分這わせる必要があり、束線長が長くなる。その結果、束線コストの増大や、束線を這わせることにより、束線が部材に挟まれる線噛み、束線が撓んで蛇行する束線ばらつきなどが生じる。そのため、線噛みや束線ばらつきの対策を行うための形状部品の追加や、束線経路を設けることによる露光装置の筐体の大型化などの課題が生じる。
【０００５】
本発明は、このような状況のもとでなされたもので、束線による光源から出射された光線の遮りを防ぐとともに、偏向器と制御基板とを接続する束線の長さを短くすることを目的とする。
【課題を解決するための手段】
【０００６】
上述した課題を解決するために、本発明では、以下の構成を備える。
【０００７】
（１）光ビームを出射する光源と、前記光源より出射された光ビームを偏向する回転多面鏡と、前記回転多面鏡が実装され、前記回転多面鏡を制御する偏向基板と、前記光源と前記回転多面鏡との間の光ビームの光路に設置され、前記光源から出射された光ビームが入射され、前記回転多面鏡に出射する光学部材が取り付けられた取付部材と、前記光源を有し、前記光源及び前記回転多面鏡を制御する制御基板と、前記制御基板が側壁に取り付けられ、前記偏向基板及び前記取付部材を内部に収容する光学箱と、を備え、前記偏向基板及び前記制御基板は、束線を介して接続され、前記束線は、前記取付部材と前記取付部材が設置された前記光学箱の底面との間を通されていることを特徴とする光走査装置。
【０００８】
（２）光ビームを出射する光源と、前記光源より出射された光ビームを偏向する回転多面鏡と、前記回転多面鏡が実装され、前記回転多面鏡を制御する偏向基板と、前記光源と前記回転多面鏡との間の光ビームの光路に設置され、前記光源から出射された光ビームが入射され、前記回転多面鏡に出射する光学部材と、前記光源を有し、前記光源及び前記回転多面鏡を制御する制御基板と、前記制御基板が側壁に取り付けられ、前記偏向基板及び前記光学部材を内部に収容する光学箱と、を備え、前記偏向基板及び前記制御基板は、束線を介して接続され、前記束線は、前記光学部材と前記光学部材が設置された前記光学箱の底面との間を通されていることを特徴とする光走査装置。
【０００９】
（３）シートに画像形成を行う画像形成手段と、前記（１）又は前記（２）に記載の光走査装置と、を備えることを特徴とする画像形成装置。
【発明の効果】
【００１０】
本発明によれば、束線による光源から出射された光線の遮りを防ぐとともに、偏向器と制御基板とを接続する束線の長さを短くすることができる。
【図面の簡単な説明】
【００１１】
【図１】実施例１〜３の画像形成装置の構成を示す断面図
【図２】実施例１〜３の光走査装置の構成を示す斜視図
【図３】実施例１〜３の光走査装置の構成を示す断面図
【図４】実施例１の束線経路を説明する概略図
【図５】実施例１の束線経路を説明する斜視図
【図６】実施例１の束線経路を説明する斜視図
【図７】実施例１〜３の偏向器周辺の光路を説明する概略図
【図８】実施例２の束線経路を説明する概略図
【図９】実施例３の束線経路を説明する概略図
【発明を実施するための形態】
【００１２】
以下に、図面を参照して本発明の実施の形態について詳細に説明する。なお、以下の説明において、後述する偏向器ユニット４１の回転多面鏡５１の回転軸方向をＺ軸方向、光ビームの走査方向である主走査方向又は出射光学系の光学部材の長手方向をＹ軸方向、Ｙ軸及びＺ軸に直交する方向である副走査方向をＸ軸方向とする。
【実施例１】
【００１３】
［画像形成装置の構成］
実施例１の画像形成装置の構成について説明する。図１は、本実施例のタンデム型のカラーレーザビームプリンタの全体構成を示す概略構成図である。このレーザビームプリンタ（以下、単にプリンタという）は、イエロー（Ｙ）、マゼンタ（Ｍ）、シアン（Ｃ）及びブラック（Ｂｋ）の色ごとにトナー像を形成する４基の作像エンジン１０Ｙ、１０Ｍ、１０Ｃ、１０Ｂｋ（一点鎖線で図示）を備える。また、プリンタは、作像エンジン１０Ｙ、１０Ｍ、１０Ｃ、１０Ｂｋからトナー像が転写される中間転写ベルト２０を備えている。そして、中間転写ベルト２０に多重転写されたトナー像を記録媒体である記録シート（シートともいう）Ｐに転写してフルカラー画像を形成するように構成されている。以降、各色を表す符号Ｙ、Ｍ、Ｃ、Ｂｋは、必要な場合を除き省略する。
【００１４】
中間転写ベルト２０は、無端状に形成され、一対のベルト搬送ローラ２１、２２にかけ回されており、矢印Ｈ方向に回転動作しながら各作像エンジン１０で形成されたトナー像が転写されるように構成されている。また、中間転写ベルト２０を挟んで一方のベルト搬送ローラ２１と対向する位置には、二次転写ローラ６０が配設されている。記録シートＰは、互いに圧接する二次転写ローラ６０と中間転写ベルト２０との間に挿通されて、中間転写ベルト２０からトナー像が転写される。中間転写ベルト２０の下側には上述した４基の作像エンジン１０Ｙ、１０Ｍ、１０Ｃ、１０Ｂｋが並列的に配設されており、各色の画像情報に応じて形成されたトナー像を中間転写ベルト２０に転写するようになっている。これら４基の作像エンジン１０は、中間転写ベルト２０の回動方向（矢印Ｈ方向）に沿って、イエロー用の作像エンジン１０Ｙ、マゼンタ用の作像エンジン１０Ｍ、シアン用の作像エンジン１０Ｃ及びブラック用の作像エンジン１０Ｂｋの順に配設されている。
【００１５】
また、各作像エンジン１０の下方には、各作像エンジン１０に具備された感光ドラム５０を画像情報に応じて露光する光走査装置４０が配設されている。光走査装置４０は全ての作像エンジン１０Ｙ、１０Ｍ、１０Ｃ、１０Ｂｋに共用されており、各色の画像情報に応じて変調された光ビームを出射する４基の半導体レーザ（不図示）を備えている。そして、光走査装置４０は、各色の画像情報に応じて、半導体レーザから光ビームを出射することにより、各作像エンジン１０の感光ドラム５０を露光する。なお、図１では光走査装置４０の詳細な図示及び説明は省略し、図２、３を用いて詳述する。
【００１６】
また、各作像エンジン１０は、感光ドラム５０と、感光ドラム５０を一様な電位で帯電する帯電ローラ１２と、を備える。更に、各作像エンジン１０は、光走査装置４０からの光ビームの露光によって、感光ドラム５０上に形成された静電潜像を現像して、トナー像を形成する現像器１３を備えている。現像器１３は、感光ドラム５０上に各色の画像情報に応じたトナー像を形成する。各作像エンジン１０の感光ドラム５０に対向する位置には、中間転写ベルト２０を挟むようにして一次転写ローラ１５が配設されている。一次転写ローラ１５に所定の転写電圧が印加されることにより、感光ドラム５０上のトナー像が中間転写ベルト２０に転写される。
【００１７】
一方、記録シートＰは、プリンタ筐体１の下部に収納される給紙カセット２から、中間転写ベルト２０と二次転写ローラ６０とが当接する二次転写位置へと供給される。給紙カセット２の上部には、給紙カセット２内に収容された記録シートＰを引き出すためのピックアップローラ２４、及び給紙ローラ２５が並設されている。また、給紙ローラ２５に対向する位置には、記録シートＰの重送を防止するリタードローラ２６が配設されている。プリンタ内部の記録シートＰの搬送経路２７は、プリンタ筐体１の図中、右側面に沿って略垂直に設けられている。プリンタ筐体１の底部に位置する給紙カセット２から引き出された記録シートＰは、搬送経路２７を上昇し、レジストレーションローラ２９へと搬送される。レジストレーションローラ２９は、記録シートＰの二次転写位置への突入タイミングを制御して、記録シートＰを二次転写位置へ搬送する。二次転写位置においてトナー像が転写された記録シートＰは、定着器３（破線で図示）へと搬送される。そして、定着器３によってトナー像が定着された記録シートＰは、排出ローラ２８を経て、プリンタ筐体１の上部に設けられた排出トレイ１ａに排出される。
【００１８】
［光走査装置の構成］
図２は、本実施例の光走査装置４０の構成を示す斜視図である。図２において、光走査装置４０の筐体（光学箱ともいう）１０１は、ＸＹ平面に平行な面である底面（底部）と、その底面から立設しかつＺ軸方向に略平行な外壁（側壁、以下、外周部ともいう）と、を有する。光走査装置４０の筐体１０１の外周部（側壁）には、光ビーム（レーザ光）を出射するレーザ発光源４５（以下、光源４５という）が搭載された制御基板である外部基板４２が取り付けられている。外部基板４２は、図２に示すように、筐体１０１の中央部で２つに分割された基板から構成されており、どちらの基板にも光源４５が設けられている。なお、図２に示す光源４５は、感光ドラム５０Ｙ、５０Ｍを露光する光ビームを出射する光源である。もう一方の光源４５（図２には不図示）は、感光ドラム５０Ｃ、５０Ｂｋを露光する光ビームを出射する光源である。
【００１９】
光走査装置４０の内部には、シリンドリカルレンズ（不図示）を有し、外部基板４２の光源４５から出射された光ビームを回転多面鏡５１へと導く光学取付部材４４が設けられている。また、光走査装置４０の内部には、光ビームを反射、偏向する回転多面鏡５１、光ビームを感光ドラム５０上へ案内し、結像させる出射光学系の光学レンズ６３（６３ａ〜６３ｆ）、反射ミラー６２（６２ａ〜６２ｈ）等が筐体１０１に一体的に設置されている。反射ミラー６２は、長手方向（Ｙ軸方向）の両端部において、固定バネにより筐体１０１に固定されている。回転多面鏡５１により偏向された光ビームは、光学レンズ６３ａ、６３ｃを通過した後、光学レンズ６３ｂ、６３ｄ、６３ｅ、６３ｆに案内されるよう構成されている。光学レンズ６３を通過した光ビームは、反射ミラー６２により、少なくとも１回反射され、感光ドラム５０へと案内され、結像される。なお、図２では、説明の都合上、筐体１０１の上部の開口部を密閉するカバーを省略している。
【００２０】
続いて、外部基板４２の光源４５から出射された光ビームが感光ドラム５０に照射される様子を、光走査装置４０の断面を示す図３を用いて詳細に説明する。図３は、回転多面鏡５１で偏向されたレーザ光が、感光ドラム５０へと案内される様子を説明する光走査装置４０の断面図である。光走査装置４０は、高速回転して４光路の光ビームを感光ドラム５０の回転軸方向（Ｙ軸方向）に沿って走査するように各光ビームを偏向する回転多面鏡５１、及び回転多面鏡５１を回転させるモータユニット４９からなる偏向器ユニット４１を備えている。偏向器ユニット４１は、回転多面鏡５１と、回転多面鏡５１を回転させるモータを駆動するモータユニット４９と、回転多面鏡５１及びモータユニット４９が取り付けられた偏向器基板（不図示）と、を備える。偏向器ユニット４１の回転多面鏡５１により偏向された光ビームは、光学レンズ６３を通過し、反射ミラー６２によって被走査面である感光ドラム５０へと案内され、感光ドラム５０上に結像される。
【００２１】
外部基板４２の光源４５（図２）から出射された感光ドラム５０Ｙに対応する光ビームＬＹは、回転多面鏡５１によって偏向され、光学レンズ６３ａに入射する。光学レンズ６３ａを通過した光ビームＬＹは、光学レンズ６３ｂに入射し、光学レンズ６３ｂを通過した後、反射ミラー６２ａによって反射される。反射ミラー６２ａによって反射された光ビームＬＹは、透明窓（不図示）を通過して感光ドラム５０Ｙを走査する。
【００２２】
外部基板４２の光源４５（図２）から出射された感光ドラム５０Ｍに対応するレーザ光ＬＭは、回転多面鏡５１によって偏向され、光学レンズ６３ａに入射する。光学レンズ６３ａを通過したレーザ光ＬＭは、反射ミラー６２ｂ、反射ミラー６２ｃによって反射されて、光学レンズ６３ｅに入射し、光学レンズ６３ｅを通過した後、反射ミラー６２ｄによって反射される。反射ミラー６２ｄによって反射されたレーザ光ＬＭは、透明窓（不図示）を通過して感光ドラム５０Ｍを走査する。
【００２３】
外部基板４２の光源４５（図２には不図示）から出射された感光ドラム５０Ｃに対応するレーザ光ＬＣは、回転多面鏡５１によって偏向され、光学レンズ６３ｃに入射する。光学レンズ６３ｃを通過したレーザ光ＬＣは、反射ミラー６２ｅ、反射ミラー６２ｆによって反射されて、光学レンズ６３ｆに入射し、光学レンズ６３ｆを通過したレーザ光ＬＣは、反射ミラー６２ｇによって反射される。反射ミラー６２ｇによって反射されたレーザ光ＬＣは、透明窓（不図示）を通過して感光ドラム５０Ｃを走査する。
【００２４】
外部基板４２の光源４５（図２には不図示）から出射された感光ドラム５０Ｂｋに対応する光ビームＬＢｋは、回転多面鏡５１によって偏向され、光学レンズ６３ｃに入射する。光学レンズ６３ｃを通過した光ビームＬＢｋは、光学レンズ６３ｄに入射し、光学レンズ６３ｄを通過した後、反射ミラー６２ｈによって反射される。反射ミラー６２ｈによって反射された光ビームＬＢｋは、透明窓（不図示）を通過して感光ドラム５０Ｂｋを走査する。
【００２５】
［束線の経路］
図４は、本実施例における偏向器ユニット４１と外部基板４２とを接続する束線４３の経路を説明する図であり、光走査装置４０を上方向から見たときの上面図である。図４において、偏向器ユニット４１は、筐体１０１の中央に設置され、偏向器ユニット４１に設けられた回転多面鏡５１の反射面が、光源４５から出射されたレーザ光を反射することによりレーザ光の光路を偏向する。偏向されたレーザ光は、筐体１０１に設置された光学部材の光学レンズ６３、反射ミラー６２により案内され、対応する感光ドラム５０に照射され、感光ドラム５０上に静電潜像が形成される。
【００２６】
外部基板４２は、光源４５からのレーザ光の出射を制御するとともに、偏向器ユニット４１を制御して、回転多面鏡５１を回転させるモータユニット４９の駆動を制御する。図４に示す光源４５は、上述した感光ドラム５０Ｙに対応する光ビームＬＹ、感光ドラム５０Ｍに対応する光ビームＬＭを出射する光源である。なお、筐体１０１の中央部を挟んで光源４５と対称な位置に感光ドラム５０Ｃに対応する光ビームＬＣ、感光ドラム５０Ｂｋに対応する光ビームＬＢｋを出射する光源４５（図４では不図示）が設置されている。光源４５から出射されたレーザ光は、筐体１０１内に設置されたコリメータレンズ（不図示）、光学取付部材４４に設置されたシリンドリカルレンズ（不図示）を通過して、回転多面鏡５１へと進む。
【００２７】
外部基板４２と偏向器ユニット４１との間の制御信号の送受信は、制御信号が通過する信号線を束ねた束線（ケーブルともいう）を介して行われる。外部基板４２は、偏向器ユニット４１から見ると光源４５と同じ側に設置されている。束線を外部基板４２に接続するため、外部基板４２の方向に延ばすことにより、束線が光源４５から出射されたレーザ光の光路を遮る光線ケラレが発生するおそれがある。そのため、従来、束線は、偏向器ユニット４１から、外部基板４２が設置された側とは反対側の筐体１０１の方向に延ばして、一旦、筐体１０１の外部に突出させた後、筐体１０１の外周部に沿って束線を這わせて外部基板４２に接続させる構成としていた。束線を筐体１０１の外周部に沿って半周させる構成により、例えば、束線が部材に挟まれる線噛みや、束線が撓んで蛇行する束線ばらつきなどの対策を行うための部品が必要となり、コストアップの原因となっていた。
【００２８】
一方、本実施例は、束線４３を、偏向器ユニット４１から外部基板４２の方向に向かって延ばす構成となっている。すなわち、偏向器ユニット４１に接続された束線４３は、偏向器ユニット４１の筐体１０１の底面に対向する下面（裏面）から、筐体１０１の底面を這わせて、光学取付部材４４の下側（光学取付部材４４と筐体１０１の側面との間）を進む。そして、光学取付部材４４の下側を通り抜けた束線４３は、光学取付部材４４と筐体１０１との接続部から、筐体１０１の上方向に向かって這わされる。そして、筐体１０１の上部に出た束線４３は、筐体１０１上を這わされ、筐体１０１の切欠き部を抜けて、筐体１０１の外部へと出る。そして、束線４３は、筐体１０１の外部に出ると、筐体１０１の外周部と外部基板４２との間を這わされて、外部基板４２の背面（外部基板４２の筐体１０１側の面）に設けられたコネクタ５２と接続される。なお、束線４３の偏向器ユニット４１側の端部が接続されるコネクタは、偏向器ユニット４１の偏向器基板（偏向基板）５４の側面又は下面に設けられている。束線４３の経路をこのように設置することにより、束線長を従来と比べて短縮することができる。
【００２９】
図５は、本実施例における束線４３の経路を外部基板４２の方向から見たときの拡大斜視図である。図５に示すように、束線４３は、偏向器ユニット４１の下面側から延びて、光学取付部材４４の下面側、すなわち光学取付部材４４と筐体１０１の底面との間の隙間を通り、光学取付部材４４の下面側を通り抜けた後、筐体１０１の上部へと延びている。そして、筐体１０１の上部へと延びた束線は、筐体１０１の切欠き部を抜けて、筐体１０１の外部へと延び、筐体１０１の外周部と外部基板４２との間を通り、外部基板４２の背面側のコネクタ（不図示）と接続されている。
【００３０】
上述したように、光学取付部材４４は、シリンドリカルレンズ（不図示）が取り付けられた部材であり、樹脂製又は金属製の部材である。光源４５から出射されたレーザ光は、光学取付部材４４の内部空間を進み、光学取付部材４４のシリンドリカルレンズを通過した後、光学取付部材４４から偏向器ユニット４１の回転多面鏡５１へと進む。一方、束線４３は、光学取付部材４４の下面（底面）と筐体１０１の底面との間の隙間に設置されているため、光源４５からのレーザ光の光路を遮る光線ケラレが生じることはない。このように、束線４３が光学取付部材４４の下面を通過させる（くぐらせる）ことにより、束線４３の自由度が規制され、束線４３による光源４５からの出射光を阻害することを防ぐことができる。
【００３１】
図６は、図５の拡大斜視図において光学取付部材４４を取り外した状態を示した斜視図である。図６に示すように、光学取付部材４４を設置したときの光学取付部材４４のＸ軸方向の中央部に対向する、筐体１０１の底面には、束線４３を通すための溝部４６が設けられている。溝部４６は、束線４３を這わせて、その上に光学取付部材４４を設置しても、束線４３が光学取付部材４４と接触したり、光学取付部材４４により押圧されたりすることのない深さを有している。また、束線４３が溝部４６に設置されることにより、束線４３の移動範囲が溝部４６内に制限されることにより、束線４３の自由度を規制することができる。これにより、束線４３が光学取付部材４４と筐体１０１の底面とに挟まれることによる線噛みが防止されるとともに、光学取付部材４４が束線４３に接触しないので、光学取付部材４４を筐体１０１の底面に安定的に設置することができる。
【００３２】
［光源からの光ビームの光路と束線経路との関係］
図７は、本実施例における光源４５から出射された光ビームであるレーザ光の光路を示す拡大図である。図７は、図中、上方向から回転多面鏡５１に向かう実線が光源４５（図７では不図示）から出射されたレーザ光であり、図中から左側から右方向に向かって、それぞれ図３で説明したレーザ光ＬＹ、ＬＭ、ＬＣ、ＬＢｋに対応している。また、回転多面鏡５１の反射面に反射して偏向されたレーザ光のうち、図中、左方向に偏向されたレーザ光は、レーザ光ＬＹ、ＬＭの光路（図中、ＬＹ／ＬＭで示す）を示している。更に、回転多面鏡５１の反射面に反射して偏向されたレーザ光のうち、図中、右方向に偏向されたレーザ光は、レーザ光ＬＣ、ＬＢｋの光路（図中、ＬＣ／ＬＢｋで示す）を示している。
【００３３】
図７に示すように、光源４５から偏向器ユニット４１までの空間は、光源４５から出射されたレーザ光が特に密集するエリアである。そのため、偏向器ユニット４１から延びる束線４３が上下左右方向に自由度を有すると、束線４３により、容易にレーザ光の光路が遮られることが予想される。そこで、図６で説明したように、光学取付部材４４と筐体１０１とによる束線４３の挟み込みが必要となる。また、偏向器ユニット４１の基板には、束線４３が接続されるコネクタを基板の側面、又は基板裏面に設置する必要がある。例えば、回転多面鏡５１が設置された基板の表面にコネクタを設置した場合には、コネクタに接続された束線４３が、回転多面鏡の反射面に照射され、偏向されたレーザ光の光路を阻害する要因となる。一方、束線４３が偏向器ユニット４１の基板の側面又は裏面に設けられたコネクタに接続された場合には、光学取付部材４４と筐体１０１による挟み込みによって束線４３が抑えられることにより、レーザ光の光路を遮る光線ケラレの発生を防ぐことができる。
【００３４】
このように、本実施例の光学取付部材４４は、シリンドリカルレンズを取り付けるための部材という光学的な役割と、束線４３の自由度を規制するという束線４３の規制部材としての役割を併せ持った構成となっている。例えば、光学取付部材４４に、束線４３の規制部材の役割だけを持たせた場合には、光源４５から出射されたレーザ光の回転多面鏡５１までの光路４７で密集したエリアに、光学部品を追加設置する必要が生じる。その結果、光走査装置４０自体の大型化やコストアップにつながってしまう。そのため、光学取付部材４４に、光学的な機能と束線４３の自由度を規制する機能を持たせることにより、光走査装置４０の大型化やコストアップを回避することができる。
【００３５】
以上説明したように、本実施例によれば、束線による光源から出射された光線の遮りを防ぐとともに、偏向器と制御基板とを接続する束線の長さを短くすることができる。
【実施例２】
【００３６】
実施例１では、光学部品が取り付けられる光学取付部材に、束線が光源から出射されたレーザ光の光路を遮らないように、束線の自由度を規制する役割を持たせていた。しかしながら、束線の自由度を規制するためであれば、束線を規制する機能を持たせる対象を、光学取付部材に限定する必要はない。実施例２では、光学部品に束線の自由度を規制する役割を持たせた実施例について説明する。
【００３７】
［束線の経路］
図８は、本実施例における偏向器ユニット４１と外部基板４２とを接続する束線４３の経路を説明する図であり、光走査装置４０を上方向から見たときの上面図である。図８では、実施例１の図４と比べて、光学取付部材４４が取り除かれ、光学取付部材４４が設置されていた位置に、光学部材４８が配置され、筐体１０１の底面に直接固定されている点が異なる。なお、図８に示す光学レンズ６３や反射ミラー６２の光学部品や偏向器ユニット４１、外部基板４２、光源４５、筐体１０１の構成は、実施例１の図４と同様であり、同じ部材には同じ符号を用いることにより、ここでの説明は省略する。
【００３８】
図８に示すように、束線４３は、光学部材４８の下の筐体１０１の底面に設けられた溝部４６を通り、溝部４６の図中上側の端部から筐体１０１の上方向に延びた後、筐体１０１の上部に出る。そして、束線４３は、筐体１０１の上を外周部の方向に進み、筐体１０１の外周の切欠き部から筐体１０１の外部に出た後、図中、左方向に進み、筐体１０１の外周部と外部基板４２との間を通り、外部基板４２のコネクタに接続される。本実施例では、光学部材４８は、光源４５から出射されるレーザ光が通過するシリンドリカルレンズである。本実施例では、光学機能を有する光学部材４８が束線４３の自由度を規制する束線規制部材の役割も有しており、光学部材４８の設置により、束線４３によるレーザ光の光路を遮る光線ケラレの発生を防ぐことができる。
【００３９】
以上説明したように、本実施例によれば、束線による光源から出射された光線の遮りを防ぐとともに、偏向器と制御基板とを接続する束線の長さを短くすることができる。
【実施例３】
【００４０】
実施例１、２では、束線が接続される偏向器ユニット側のコネクタは、偏向器ユニットの基板の光源に近い側に設けられ、偏向器ユニットと外部基板とを接続する束線の長さが最も短くなる構成であった。しかしながら、偏向器ユニットの実装都合により、束線のコネクタが基板上の光源から遠い側に設けられる可能性がある。実施例３では、基板上のコネクタが光源から離れた側に設けられた場合の束線４３の経路構成について説明する。
【００４１】
［束線の経路］
図９は、本実施例における偏向器ユニット４１と外部基板４２とを接続する束線４３の経路を説明する図であり、光走査装置４０を上方向から見たときの上面図である。図９では、実施例１の図４と比べて、偏向器ユニット４１の基板に設けられた、束線４３が接続されるコネクタの位置が異なる。実施例１では、上述したように、束線４３が接続されるコネクタは、基板の側面又は裏面に設けられていた。一方、本実施例では、束線４３が接続されるコネクタ５３は、外部基板４２から離れる側、すなわち、偏向器ユニット４１の偏向器基板５４の表面側の回転多面鏡５１を挟んで、光源４５とは反対側の偏向器基板５４の表面に設けられている。なお、図９に示す光学レンズ６３や反射ミラー６２の光学部品や偏向器ユニット４１、外部基板４２、光源４５、筐体１０１の構成は、実施例１の図４と同様であり、同じ部材には同じ符号を用いることにより、ここでの説明は省略する。
【００４２】
本実施例では、束線４３は、偏向器ユニット４１の偏向器基板５４の表面側に設けられたコネクタ５３と接続されている。コネクタ５３に接続された束線４３は、偏向器基板５４の下面方向（筐体１０１の底面方向）に延びた後、外部基板４２が設置された図中上方向に向かって、偏向器基板５４の下面と筐体１０１の底面との間を通り抜ける。そして、束線４３は、偏向器基板５４の下面を通過した後は、上述した実施例１、２の場合の束線と同じ経路を通って、外部基板４２に設けられたコネクタに接続される。このように、コネクタが偏向器基板５４の回転多面鏡５１を介して外部基板４２とは反対側の表面に設置されている場合には、束線４３を偏向器基板５４の下面をくぐらせる。これにより、光源４５から出射されるレーザ光の光路を遮る光線ケラレを防ぐことができる。更に、束線４３の長さは、実施例１、２の場合よりも長くはなるが、従来例のように筐体１０１の外周を半周する場合と比べると、束線４３の長さは短く、束線に要するコストを削減することができる。なお、本実施例では、束線４３が接続されるコネクタ５３は、偏向器基板５４の表面に設置されているが、コネクタ５３が設置されているエリアは、図７に示すように、光源４５から出射され、回転多面鏡５１により偏向されたたレーザ光の光路ではない。そのため、レーザ光を遮る光線ケラレは生じない。
【００４３】
以上説明したように、本実施例によれば、束線による光源から出射された光線の遮りを防ぐとともに、偏向器と制御基板とを接続する束線の長さを短くすることができる。
【符号の説明】
【００４４】
４２      外部基板
４３      束線
４４      光学取付部材
４５      光源
５１      回転多面鏡
５４      偏向器基板
１０１    筐体
【図１】
2020190630.tif 000003
【図２】
2020190630.tif 000004
【図３】
2020190630.tif 000005
【図４】
2020190630.tif 000006
【図５】
2020190630.tif 000007
【図６】
2020190630.tif 000008
【図７】
2020190630.tif 000009
【図８】
2020190630.tif 000010
【図９】
2020190630.tif 000011